(57)【要約】【課題】複数種類のインターホン子器と組み合わせる場合においても通話信号のレベルに差異を生じ難くする。【解決手段】インターホン機器（親機Ａ及び副親機Ｂ１，Ｂ２）では、通話路が形成された子器Ｃ１，Ｃ２，…の種類を判別し、その判別結果に基づいてアンプ１６ｃの利得が子器Ｃ１，Ｃ２，…の種類に適した値に設定されて子器Ｃ１からの受話信号が適切なレベルに調整される。従って、親機Ａ及び副親機Ｂ１，Ｂ２を複数種類の子器Ｃ１，Ｃ２，…と組み合わせる場合においても通話信号のレベルに差異が生じ難くなる。【選択図】        図１
2005217540.tif 000002
【特許請求の範囲】
【請求項１】
マイクロホン及びスピーカを具備し住宅内に設置される１乃至複数のインターホン機器と、マイクロホン及びスピーカを具備し住宅外に設置される複数種のインターホン子器とからなり、インターホン機器とインターホン子器との間に適宜形成される通話路を通して通話するインターホンシステムに用いられ、選択された一のインターホン子器との間に通話路を形成する通話路形成手段と、当該通話路を通して送受信する通話信号を信号処理して双方向の同時通話を行う通話処理手段と、当該インターホン子器の種類を判別する子器種類判別手段と、子器種類判別手段の判別結果に基づき当該インターホン子器の種類に応じて通話信号のレベル調整を行うレベル調整手段とを備えたことを特徴とするインターホン機器。
【請求項２】
各インターホン子器から送信される呼出信号を受信するとともに呼出信号を送信したインターホン子器を選択する第１の子器選択手段を備え、子器種類判別手段は、呼出信号に含まれるインターホン子器の個別情報に基づいて種類を判別することを特徴とする請求項１記載のインターホン機器。
【請求項３】
何れか一のインターホン子器を選択する第２の子器選択手段を備え、子器種類判別手段は、第２の子器選択手段の選択結果に基づいて種類を判別することを特徴とする請求項１記載のインターホン機器。
【請求項４】
子器種類判別手段は、第１及び第２の子器選択手段による子器選択が略同時に行われた場合に第２の子器選択手段の選択結果に基づく種類判別よりも、第１の子器選択手段に従うべく呼出信号に含まれるインターホン子器の個別情報に基づく種類判別を優先させることを特徴とする請求項２及び３記載のインターホン機器。
【請求項５】
通話処理手段並びにレベル調整手段は、ソフトウェアによって動作する汎用の集積回路からなることを特徴とする請求項１〜４の何れかに記載のインターホン機器。
【発明の詳細な説明】
【技術分野】
【０００１】
本発明は、インターホン子器とともにインターホンシステムを構成するインターホン機器に関するものである。
【背景技術】
【０００２】
従来、マイクロホン及びスピーカを具備して住宅外（玄関など）に設置されるインターホン子器と、住宅内に設置されインターホン子器からの呼出に応答した際にインターホン子器との間に通話路を形成して通話するインターホン機器（親機又は副親機）とで構成されるインターホンシステムが提供されている（例えば、特許文献１参照）。
【０００３】
ところで、インターホン子器には壁面などの造営面に露出した状態で設置される露出設置型と、造営面に設けた埋込孔に少なくとも一部を埋め込む形で設置される埋込設置型とがある。これら２種類（露出設置型と埋込設置型）のインターホン子器においては、マイクロホン及びスピーカのアンプの利得や取付構造などを工夫し、インターホン子器のハウジング形状に起因する音量（通話信号のレベル）の差異を、インターホン機器の特性も含めた形で減らすようにしている。
【特許文献１】特開平１１−２７５２３８号公報
【発明の開示】
【発明が解決しようとする課題】
【０００４】
しかしながら、取付構造の違いによってマイクロホンの集音特性には周波数特性が存在するため、既存のインターホン子器と組み合わせられるインターホン機器を新たに開発する場合、インターホン機器の特性が変化してしまうために既存のインターホン子器との組み合わせで通話信号のレベルに差異が生じてしまうことになる。
【０００５】
本発明は上記事情に鑑みて為されたものであり、その目的は、複数種類のインターホン子器と組み合わせる場合においても通話信号のレベルに差異が生じ難いインターホン機器を提供することにある。
【課題を解決するための手段】
【０００６】
請求項１の発明は、上記目的を達成するために、マイクロホン及びスピーカを具備し住宅内に設置される１乃至複数のインターホン機器と、マイクロホン及びスピーカを具備し住宅外に設置される複数種のインターホン子器とからなり、インターホン機器とインターホン子器との間に適宜形成される通話路を通して通話するインターホンシステムに用いられ、選択された一のインターホン子器との間に通話路を形成する通話路形成手段と、当該通話路を通して送受信する通話信号を信号処理して双方向の同時通話を行う通話処理手段と、当該インターホン子器の種類を判別する子器種類判別手段と、子器種類判別手段の判別結果に基づき当該インターホン子器の種類に応じて通話信号のレベル調整を行うレベル調整手段とを備えたことを特徴とする。
【０００７】
この発明によれば、子器種類判別手段の判別結果に基づいてレベル調整手段がインターホン子器の種類に応じて通話信号のレベル調整を行うから、複数種類のインターホン子器と組み合わせる場合においても通話信号のレベルに差異が生じ難くなる。
【０００８】
請求項２の発明は、請求項１の発明において、各インターホン子器から送信される呼出信号を受信するとともに呼出信号を送信したインターホン子器を選択する第１の子器選択手段を備え、子器種類判別手段は、呼出信号に含まれるインターホン子器の個別情報に基づいて種類を判別することを特徴とする。
【０００９】
この発明によれば、呼出信号を送信したインターホン子器の種類に適したレベルに通話信号を調整することができる。
【００１０】
請求項３の発明は、請求項１の発明において、何れか一のインターホン子器を選択する第２の子器選択手段を備え、子器種類判別手段は、第２の子器選択手段の選択結果に基づいて種類を判別することを特徴とする。
【００１１】
この発明によれば、インターホン機器側で選択したインターホン子器の種類に適したレベルに通話信号を調整することができる。
【００１２】
請求項４の発明は、請求項２及び３の発明において、子器種類判別手段は、第１及び第２の子器選択手段による子器選択が略同時に行われた場合に第２の子器選択手段の選択結果に基づく種類判別よりも、第１の子器選択手段に従うべく呼出信号に含まれるインターホン子器の個別情報に基づく種類判別を優先させることを特徴とする。
【００１３】
この発明によれば、インターホン子器からの呼出を優先することで来客への応対が遅れることを防ぐことができる。
【００１４】
請求項５の発明は、請求項１〜４の何れかの発明において、通話処理手段並びにレベル調整手段は、ソフトウェアによって動作する汎用の集積回路からなることを特徴とする。
【００１５】
この発明によれば、ハードウェアのみで構成する場合に比較してレベル調整手段の設計や仕様変更が容易に行える。
【発明の効果】
【００１６】
本発明によれば、子器種類判別手段の判別結果に基づいてレベル調整手段がインターホン子器の種類に応じて通話信号のレベル調整を行うから、複数種類のインターホン子器と組み合わせる場合においても通話信号のレベルに差異が生じ難くなるという効果がある。
【発明を実施するための最良の形態】
【００１７】
本実施形態のインターホン機器は、図１に示すように複数のインターホン子器（以下、「子器」と略す）Ｃ１，Ｃ２，…とともにインターホンシステムを構成するインターホン親機（以下、「親機」と略す）Ａ並びにインターホン副親機（以下、「副親機」と略す）Ｂ１，Ｂ２からなる。
【００１８】
従来技術で説明したように子器Ｃ１，Ｃ２，…には露出設置型と埋込設置型の２種類が有るが、内部の回路構成については全て共通であるから、図１では埋込設置型の子器Ｃ１についてのみ回路構成を図示している。子器Ｃ１は、マイクロホン１及びスピーカ２と、マイクロホン１で集音されたアナログの通話信号（送話信号）を増幅するマイクロホンアンプ３と、スピーカ２へ入力するアナログの通話信号（受話信号）を増幅するスピーカアンプ４と、２線−４線変換を行う２線−４線変換部５と、手動操作される呼出釦（図示せず）を有し呼出釦が操作された際に操作信号を出力する呼出スイッチ部６と、子器全体の動作制御を行うとともに呼出スイッチ部６から操作信号が入力されたときに制御信号送信部８から親機Ａに対して制御信号（呼出信号）を送信させる信号処理部７と、子器Ｃ１，Ｃ２，…と親機Ａを個別に接続する２線の信号線を介して呼出信号を送信する制御信号送信部８とを具備する。
【００１９】
親機Ａは、マイクロホン１０及びスピーカ１１と、複数の子器Ｃ１，Ｃ２，…との間の通話路を切り替える子器切替部１２と、子器切替部１２と副親機Ｂ１，Ｂ２との間の通話路を切り替える通話路切替部１３と、子器Ｃ１，Ｃ２，…から送信される制御信号を受信する制御信号受信部１４と、ＣＰＵを主構成要素とする制御部１５と、ソフトウェアを搭載したＤＳＰ（デジタル・シグナル・プロセッサ）からなり、マイクロホン１０並びにスピーカ１１を利用した拡声同時通話のための通話処理を行う通話処理部１６と、手動操作される操作釦（図示せず）を有して操作釦が操作された際に制御部１５に操作信号を出力する複数の操作スイッチ１７ａ，１７ｂ，１７ｃと、制御部１５の制御の元で２線の信号線を介して副親機Ｂ１，Ｂ２との間で制御信号を送受信する制御信号送受信部１８と、マイクロホン１０で集音したアナログの通話信号（送話信号）をデジタルの送話信号に変換するＡ／Ｄコンバータ１９ａ並びに通話処理部１６から出力されるデジタルの通話信号（受話信号）をアナログの受話信号に変換してスピーカ１１に出力するＤ／Ａコンバータ１９ｂを具備する第１のコーデック部１９と、子器Ｃ１，Ｃ２，…又は副親機Ｂ１，Ｂ２から送られてくるアナログの通話信号（受話信号）をデジタルの受話信号に変換するＡ／Ｄコンバータ２０ａ並びに通話処理部１６から出力されるデジタルの通話信号（送話信号）をアナログの送話信号に変換するＤ／Ａコンバータ２０ｂを具備する第２のコーデック部２０と、第２のコーデック部２０と通話路切替部１３の間に設けられる２線−４線変換部２１とを備える。尚、本実施形態では、各子器Ｃ１，Ｃ２，…から送信される呼出信号を受信するとともに呼出信号を送信した子器Ｃ１，Ｃ２，…を選択する第１の子器選択手段、何れか一の子器Ｃ１，Ｃ２，…を選択する第２の子器選択手段、選択された一の子器Ｃ１，Ｃ２，…との間に通話路を形成する通話路形成手段、選択された子器Ｃ１，Ｃ２，…の種類を判別する子器種類判別手段を、制御部１５のＣＰＵで専用のプログラム（ソフトウェア）を実行することにより実現している。
【００２０】
通話処理部１６はプログラムメモリに格納されたプログラム（ソフトウェア）を実行することで種々の機能を実現しており、図１では、制御部１５との間のデータ伝送やプログラムメモリに格納された複数のソフトウェアを選択して実行するソフトウェア制御などの機能を実現する音声制御部１６ａと、送話信号と受話信号のレベルを比較しレベルが低い方の信号経路に損失を挿入することで通話のモード（送話モード及び受話モード）を切り替える音声スイッチ１６ｂと、音声制御部１６ａにより利得が可変であって第２のコーデック部２０から入力する受話信号を増幅するアンプ１６ｃとを、便宜上通話処理部１６の構成要素として図示している。ここで音声制御部１６ａは、制御部１５における子器Ｃ１，Ｃ２，…の種類判別結果に基づき、アンプ１６ｃの利得を、露出設置型及び埋込設置型の２種類の子器Ｃ１，Ｃ２，…の特性（マイクロホン１の周波数特性など）に適応した値に設定する処理を行っている。すなわち、本実施形態においては、通話処理部１６の音声制御部１６ａが子器種類判別手段の判別結果に基づき当該子器Ｃ１，Ｃ２，…の種類に応じて通話信号のレベル調整を行うレベル調整手段となる。
【００２１】
尚、副親機Ｂ１，Ｂ２は、図２に示すように子器切替部１２を備えていない点以外は親機Ａとほぼ共通の構成を有しているので、親機Ａと共通の構成要素には同一の符号を付して説明を省略する。
【００２２】
次に、図面を参照して本実施形態における親機Ａ並びに副親機Ｂ１，Ｂ２の動作を説明する。
【００２３】
まず、来訪者が子器Ｃ１の呼出釦を操作した場合の動作について図３を参照して説明する。図３は子器Ｃ１、親機Ａ、副親機Ｂ１，Ｂ２におけるイベントの発生とそれに伴う処理の内容を示している。尚、子器Ｃ１の種類は埋込設置型とする。
【００２４】
子器Ｃ１で呼出釦が操作されると信号処理部７が制御信号送信部８を制御して呼出信号を親機Ａに送信させる。親機Ａでは制御信号受信部１４が子器Ｃ１から送信された呼出信号を受信し、制御部１５に対して子器Ｃ１から呼出があったことを示す情報（呼出情報）を出力する。制御部１５では呼出情報に基づいて子器Ｃ１からの呼出を検出するとともにメモリ（図示せず）に予め格納されている子器Ｃ１の種類に関する情報を取得して子器Ｃ１の種類、すなわち、露出設置型か埋込設置型を判別し、呼出情報と種類判別の結果を通話処理部１６の音声制御部１６ａに伝達し、さらに制御信号送受信部１８から制御信号を送信して同一の情報（呼出情報と種類判別の結果）を副親機Ｂ１，Ｂ２にも伝達する。音声制御部１６ａでは、呼出情報の情報を受け取ると呼出音を生成して第１のコーデック部１９のＤ／Ａコンバータ１９ｂに出力してスピーカ１１から呼出音を鳴らすとともに、子器Ｃ１との通話に備えてアンプ１６ｃの利得を埋込設置型の子器に適した値に設定する。
【００２５】
そして、呼出音を聞いた家人が通話釦を押操作し操作スイッチ（図示せず）がオンして操作信号が制御部１５に入力されと、制御部１５は子器切替部１２並びに通話路切替部１３を切替制御して子器Ｃ１との間に通話路を形成するとともに通話処理部１６の音声制御部１６ａに対して通話処理の開始を指示するコマンドを出力する。このコマンドを受け取った音声制御部１６ａが音声スイッチ１６ｂやアンプ１６ｃを起動することによって通話処理が開始されて親機Ａと子器Ｃ１との間で通話が可能となる。このとき、アンプ１６ｃの利得が子器Ｃ１の種類（埋込設置型）に適した値に設定されているため、子器Ｃ１からの受話信号が適切なレベルに調整される。ここで本実施形態では、通話処理手段並びにレベル調整手段をソフトウェアによって動作する汎用の集積回路であるＤＳＰで構成しているため、ハードウェアのみで構成する場合に比較してレベル調整手段の設計や仕様変更が容易に行えるという利点がある。
【００２６】
尚、副親機Ｂ１，Ｂ２においても親機Ａと同様の処理が行われており、副親機Ｂ１又はＢ２において通話釦が押操作された場合には副親機Ｂ１又はＢ２と子器Ｃ１との間で通話路が形成され、このときにもアンプ１６ｃの利得が子器Ｃ１の種類（埋込設置型）に適した値に設定されているために子器Ｃ１からの受話信号が副親機Ｂ１又はＢ２において適切なレベルに調整されることになる。
【００２７】
ところで親機Ａにおいては、第２の子器選択手段である制御部１５で選択された子器Ｃ１，Ｃ２，…のマイクロホン１によって集音された音声を親機Ａのスピーカ１１から鳴動させる機能（音声モニタ機能）を有しており、以下、図４を参照して子器Ｃ１の音声モニタを行う場合について親機Ａの動作を説明する。
【００２８】
子器Ｃ１に対応した操作スイッチ１７ａがオンして制御部１５に操作信号が入力されると、制御部１５では操作信号に基づいて子器Ｃ１に対する音声モニタの開始要求を検出するとともにメモリに格納されている子器Ｃ１の種類に関する情報を取得して子器Ｃ１の種類を判別し、音声モニタ開始要求と種類判別の結果を通話処理部１６の音声制御部１６ａに伝達する。音声制御部１６ａでは、子器Ｃ１の音声モニタに備えてアンプ１６ｃの利得を埋込設置型の子器に適した値に設定する。また、制御部１５は子器切替部１２並びに通話路切替部１３を切替制御して子器Ｃ１との間に通話路を形成するとともに通話処理部１６の音声制御部１６ａに対して音声モニタに伴う通話処理の開始を指示するコマンドを出力する。このコマンドを受け取った音声制御部１６ａでは音声スイッチ１６ｂやアンプ１６ｃを起動することによって通話処理を開始するが、このとき音声スイッチ１６ｂを受話モードに固定して子器Ｃ１から親機Ａへの受話信号のみが通話路を伝送されるようにして音声モニタが可能となる。このとき、アンプ１６ｃの利得が子器Ｃ１の種類（埋込設置型）に適した値に設定されているため、子器Ｃ１からの受話信号が適切なレベルに調整される。尚、子器Ｃ１，Ｃ２，…からの呼出と親機Ａにおける音声モニタ要求とが同時に発生した場合、親機Ａの制御部１５では子器Ｃ１，Ｃ２，…からの呼出を優先させて来客への応対が遅れることを防いでいる。
【００２９】
また副親機Ｂ１，Ｂ２から親機Ａに制御信号を送信し、その制御信号によって親機Ａの制御部１５に何れかの子器Ｃ１，Ｃ２，…を選択させるとともに選択した子器Ｃ１，Ｃ２，…と副親機Ｂ１，Ｂ２との間に通話路を形成させることにより、上述の音声モニタ機能を副親機Ｂ１，Ｂ２においても実現することが可能である。
【００３０】
上述のように本実施形態のインターホン機器（親機Ａ及び副親機Ｂ１，Ｂ２）では、通話路が形成された子器Ｃ１，Ｃ２，…の種類を判別し、その判別結果に基づいてアンプ１６ｃの利得が子器Ｃ１，Ｃ２，…の種類に適した値に設定されて子器Ｃ１からの受話信号が適切なレベルに調整されるため、複数種類の子器Ｃ１，Ｃ２，…と組み合わせる場合においても通話信号のレベルに差異が生じ難くなるものである。
【図面の簡単な説明】
【００３１】
【図１】本発明に係るインターホン親機及びインターホン副親機を含むインターホンシステムのブロック図である。
【図２】同上のインターホン副親機のブロック図である。
【図３】同上においてインターホン子器から呼出があった場合のインターホン親機並びにインターホン副親機の動作説明図である。
【図４】同上においてインターホン親機からインターホン子器の音声モニタを行う場合の動作説明図である。
【符号の説明】
【００３２】
Ａ  インターホン親機
Ｂ１，Ｂ２  インターホン副親機
Ｃ１，Ｃ２，…  インターホン子器
１０  マイクロホン
１１  スピーカ
１４  制御信号受信部
１５  制御部
１６  通話処理部
１６ａ  音声制御部
１６ｃ  アンプ
【図１】
2005217540.tif 000003
【図２】
2005217540.tif 000004
【図３】
2005217540.tif 000005
【図４】
2005217540.tif 000006